(57)【要約】【課題】能力のある相手に対してはその能力を満足する同報通信を行う。【解決手段】通信相手先のメールアドレスと共に受信能力情報を管理メモリに記憶し、画像データを複数のメールアドレスを指定して同報通信する時、送信原稿の条件と各メールアドレスに対応した受信能力情報とを比較し、能力に応じてメールアドレスをグループ単位に区分する。画像データをそのまま受信できる能力を持つグループについては画像変換せずに同報送信し、そのまま受信できない能力を持つグループについてはそれぞれの能力に合わせて画像変換を行ってから同報送信する。【選択図】    図４
2005026978.tif 000002
【特許請求の範囲】
【請求項１】
読み取った原稿の画像データを蓄積する画像蓄積メモリと、通信相手先のメールアドレスと共に受信能力情報を記憶する管理メモリと、前記画像蓄積メモリに蓄積された画像データを複数のメールアドレスを指定して同報通信する時、送信原稿の条件と各メールアドレスに対応した受信能力情報とを比較し、能力に応じてメールアドレスをグループ単位に区分する区分処理部と、前記画像蓄積メモリに蓄積された画像データをそのまま受信できる能力を持つグループについては画像変換せずに同報送信し、そのまま受信できない能力を持つグループについてはそれぞれの能力に合わせて画像変換を行ってから同報送信する同報送信部とを備えたインターネット・ファクシミリ装置。
【請求項２】
管理メモリは、受信能力情報として、受信最大サイズ、線密度、符号化方式、カラーの有無を記憶し、区分処理部は、前記管理メモリに記憶されている受信最大サイズ、線密度、符号化方式、カラーの有無の１つ或は複数を能力の条件としてメールアドレスをグループ単位に区分することを特徴とする請求項１記載のインターネット・ファクシミリ装置。
【請求項３】
区分処理部は、管理メモリに記憶されている受信最大サイズ、線密度、符号化方式のうち、受信最大サイズと線密度を能力の条件としてメールアドレスをグループ単位に区分することを特徴とする請求項２記載のインターネット・ファクシミリ装置。
【請求項４】
区分処理部は、管理メモリに記憶されている受信最大サイズ、線密度、符号化方式のうち、受信最大サイズと符号化方式を能力の条件としてメールアドレスをグループ単位に区分することを特徴とする請求項２記載のインターネット・ファクシミリ装置。
【請求項５】
区分処理部は、管理メモリに記憶されている受信最大サイズ、線密度、符号化方式のうち、受信最大サイズの能力を条件としてメールアドレスをグループ単位に区分することを特徴とする請求項２記載のインターネット・ファクシミリ装置。
【発明の詳細な説明】
【０００１】
【発明の属する技術分野】
本発明は、電子メール形式でインターネットを介してファクシミリ通信を行うインターネット・ファクシミリ装置に関する。
【０００２】
【従来の技術】
通常の電話回線に接続されているファクシミリ装置は複数の相手先に同報通信できるようになっている。このファクシミリ装置は、１回線１相手先という通信を行うため、例えば、接続されている電話回線が２回線であれば同時に２ヶ所の相手先へ通信できることになる。そして、例えば、同報通信する相手先が４ヶ所のときには、最初に２ヶ所の相手先へ通信を行い、この通信が終了すると続いて残る２ヶ所の相手先へ通信を行うことになる。この通信において、相手先への画像通信に先立ってネゴシエーションと呼ばれる前通信を行って相手端末の受信能力情報を受信してから相手端末の受信能力に合わせて必要であれば画像変換を行って画像通信を行うようになっている。
【０００３】
これに対し、インターネット・ファクシミリ装置は、インターネットを経由して２ヶ所でも４ヶ所でも同時に複数の相手先へ同報通信ができる。しかし、相手先の受信能力情報に合わせて画像変換を行って画像通信を行うことはできない。このため、最初に相手先と通信を行ったときに、その相手先の受信能力を把握し、これを記憶しておく。そして、その後、複数の相手先へ同報通信を行うときには記憶した相手先の受信能力のうち最も低い能力に合わせて同報通信を行うことになる。
【０００４】
【発明が解決しようとする課題】
しかしながら、複数の相手先へ同報通信を行うときに最も低い能力に合わせて同報通信を行ったのでは次のような問題が生じる。例えば、Ａ３サイズの原稿を１０ヶ所の相手先へ送信しようとしたとき、８ヶ所の相手先はＡ３サイズの受信は可能であるが、２ヶ所の相手先がＡ４サイズの受信しかできない時には、Ａ３サイズの原稿をＡ４サイズに縮小する画像変換を行って１０ヶ所全ての相手先へ送信することになる。このように、能力のある相手に対してはその能力を満足する同報通信ができないという問題があった。
そこで、本発明は、能力のある相手に対してはその能力を満足する同報通信ができるインターネット・ファクシミリ装置を提供する。
【０００５】
【課題を解決するための手段】
本発明は、読み取った原稿の画像データを蓄積する画像蓄積メモリと、通信相手先のメールアドレスと共に受信能力情報を記憶する管理メモリと、画像蓄積メモリに蓄積された画像データを複数のメールアドレスを指定して同報通信する時、送信原稿の条件と各メールアドレスに対応した受信能力情報とを比較し、能力に応じてメールアドレスをグループ単位に区分する区分処理部と、画像蓄積メモリに蓄積された画像データをそのまま受信できる能力を持つグループについては画像変換せずに同報送信し、そのまま受信できない能力を持つグループについてはそれぞれの能力に合わせて画像変換を行ってから同報送信する同報送信部とを備えたものである。
【０００６】
【発明の実施の形態】
以下、本発明の一実施の形態を、図面を参照して説明する。
図１に示すように、インターネット１に複数のインターネット・ファクシミリ装置２が接続されている。
【０００７】
前記各インターネット・ファクシミリ装置２は、図２に示すように、システム制御部２１、システムメモリ２２、管理メモリ２３、時計回路２４、スキャナ２５、画像蓄積メモリ２６、符号化・復号化部２７、操作・表示部２８、プリンタ２９、インターネット通信部３０を備え、これらをバスライン３１によって接続している。
【０００８】
前記システム制御部２１は、装置全体の制御を行うもので、ＣＰＵ、ＲＯＭからなる。前記システムメモリ２２は、前記システム制御部２１が各部を制御するときに処理するデータ等を記憶するもので、ＲＡＭからなる。
【０００９】
前記管理メモリ２３は、図３に示すように、相手先名称、メールアドレス、受信できる最大サイズ、受信できる最も細かい線密度、受信できる符号化方式、その他相手先がカラーＦＡＸか否かを示すカラーの有無等を、多数の相手先分記憶できるもので、Ｓ−ＲＡＭやＥＥＰＲＯＭなど不揮発性メモリからなる。
【００１０】
前記時計回路２４は、現在の時刻を計時し出力する。前記スキャナ２５は、所定の解像度で原稿画像をモノクロやフルカラーで読み取る。前記画像蓄積メモリ２６は、符号化圧縮された画像データを記憶する。前記符号化・復号化部２７は、前記スキャナ２５で原稿を読み取って得られる画信号を符号化圧縮して送信するための画像データに変換し、また、受信した符号化圧縮された画像データを元の画信号に復号化する。
【００１１】
前記操作・表示部２８は、この装置を操作するキーボードや報知情報を表示する表示器等を備えている。前記プリンタ２９は、所定の解像度で画像を記録紙に記録するものである。インターネット通信部３０は、インターネット１を介して他のインターネット・ファクシミリ装置２とインターネット通信制御を行うものである。
【００１２】
前記システム制御部２１は、オペレータがスキャナ２５に原稿をセットし、操作・表示部２８で相手先を指定して通信操作を行うと、スキャナ２５が原稿を読み取り、読み取って得られる画信号がシステムメモリ２２に一旦記憶される。そして、相手先への通信が最初であれば、予め決められたデフォルト値に従ってサイズや線密度や符号化方式を設定し、システムメモリ２２の画信号を符号化・復号化部２７で符号化圧縮し、画像蓄積メモリ２６に送信用の画像データとして記憶する。そして、インターネット通信部３０を制御して電子メール形式で画像蓄積メモリ２６に記憶した画像データを送信する。
【００１３】
このようにして最初の通信が終了すると、相手先の受信能力が分かるので、管理メモリ２３に、相手先名称、メールアドレス、受信可能最大サイズ、受信可能最細線密度、符号化方式、カラーの有無を記憶する。そして、同一の相手先に対して２回目以降の通信を行うときには、デフォルト値を管理メモリ２３の該当する相手先の受信可能最大サイズ、受信可能最細線密度、符号化方式、カラーの有無に従って変更する。そして、変更した内容に応じて画像変換することになる。
【００１４】
また、前記システム制御部２１は、オペレータがスキャナ２５に原稿をセットし、操作・表示部２８でグループ区分するための相手先の受信能力として受信可能最大サイズと受信可能最細線密度の２つを指定して複数の相手先に同報通信する操作を行うと、図４に示す流れ図に基づいた制御を行う。なお、同報通信する場合は、管理メモリ２３に相手先名称、メールアドレス、受信可能最大サイズ、受信可能最細線密度、符号化方式が記憶されていることが条件になる。
【００１５】
スキャナ２５からの画信号はシステムメモリ２２に一時記憶される。そして、システムメモリ２２の画信号を、読み取ったサイズ、線密度、決められた符号化方式の基に符号化・復号化部２７で符号化圧縮し、画像蓄積メモリ２６に送信用の画像データとして記憶する。
【００１６】
操作・表示部２８で同報通信する複数のメールアドレスが指定されると、システム制御部２１は、ＳＴ１にて、送信原稿の条件と同報通信する１つの相手先の受信能力を管理メモリ２３の情報を使用して比較する。このとき比較する相手先の受信能力は、指定された受信可能最大サイズと受信可能最細線密度の２つとなる。
【００１７】
そして、ＳＴ２にて、受信可能最大サイズが送信原稿の条件を満足でき、また、ＳＴ３にて、受信可能最細線密度が送信原稿の条件を満足できると判断した時には、ＳＴ４にて、その相手先のメールアドレスを第１グループに登録する。
【００１８】
また、ＳＴ２にて、受信可能最大サイズが送信原稿の条件を満足できると判断したが、ＳＴ３にて、受信可能最細線密度が送信原稿の条件を満足できないと判断した時には、ＳＴ５にて、その相手先のメールアドレスを第２グループに登録する。
【００１９】
また、ＳＴ２にて、受信可能最大サイズが送信原稿の条件を満足できないと判断したが、ＳＴ６にて、受信可能最細線密度が送信原稿の条件を満足できると判断した時には、ＳＴ７にて、その相手先のメールアドレスを第３グループに登録する。
【００２０】
また、ＳＴ２にて、受信可能最大サイズが送信原稿の条件を満足できないと判断し、かつ、ＳＴ６にて、受信可能最細線密度が送信原稿の条件を満足できないと判断した時には、ＳＴ８にて、その相手先のメールアドレスを第４グループに登録する。
【００２１】
以上の処理を指定された全ての相手先に対して行い、ＳＴ９にて、全ての相手先についてメールアドレスのグループ登録が終了したことを判断すると、ＳＴ１０にて、先ず、第１グループに登録されたメールアドレスへの同報通信を行う。
【００２２】
この同報通信は相手先が送信原稿の条件を全て満足できる。従って、サイズ縮小や線密度変換の画像変換すること無く、画像蓄積メモリ２６に記憶されている画像データをそのままインターネット通信部３０へ出力し、このインターネット通信部３０から該当するメールアドレスに同報通信を行う。
【００２３】
続いて、Ｓ１１にて、第２グループから第４グループについての同報通信を行う。すなわち、第２グループにメールアドレスが登録されていれば、このグループは画像蓄積メモリ２６に記憶されている画像データを線密度変換の画像変換を行ってからインターネット通信部３０に出力する。インターネット通信部３０から該当するメールアドレスに同報通信を行う。
【００２４】
また、第３グループにメールアドレスが登録されていれば、このグループは画像蓄積メモリ２６に記憶されている画像データをサイズ縮小の画像変換を行ってからインターネット通信部３０に出力する。そして、インターネット通信部３０から該当するメールアドレスに同報通信を行う。
【００２５】
また、第４グループにメールアドレスが登録されていれば、このグループは画像蓄積メモリ２６に記憶されている画像データをサイズ縮小と線密度変換の両方の画像変換を行ってからインターネット通信部３０に出力する。そして、インターネット通信部３０から該当するメールアドレスに同報通信を行う。
【００２６】
このような構成においては、例えば、Ａ３サイズで３００ｄｐｉの原稿を１０ヶ所の相手先へ同報通信する場合に、８ヶ所の相手先はＡ３サイズで３００ｄｐｉの受信能力があるが、２ヶ所の相手先はＡ４サイズで３００ｄｐｉの受信能力しか無い場合は、先の８ヶ所のメールアドレスは第１グループに登録され、後の２ヶ所のメールアドレスは第３グループに登録される。
【００２７】
そして、先ず、第１グループに登録された８ヶ所のメールアドレスについては符号化圧縮されたＡ３サイズで３００ｄｐｉの原稿をそのまま同報送信する。続いて、第３グループに登録された２ヶ所のメールアドレスについては符号化圧縮されたＡ３サイズで３００ｄｐｉの原稿を、Ａ４サイズに縮小する画像変換を行ってから同報送信する。
このように、受信能力を備えた８ヶ所に対してその能力を満足する同報通信ができる。
【００２８】
なお、この実施の形態では、操作・表示部２８でグループ区分するための相手先の受信能力として受信可能最大サイズと受信可能最細線密度の２つを指定した場合について述べたが、その組み合せは、受信可能最大サイズと符号化方式との組み合せや受信可能最細線密度と符号化方式との組み合せ、その他カラーの有無を含めた組み合わせ、あるいはあるいは受信可能最大サイズ、受信可能最細線密度及び符号化方式の３つの組み合せによってグループ区分してもよい。
【００２９】
また、受信可能最大サイズ、受信可能最細線密度、符号化方式及びカラーの有無のうち、１つのみを指定して２つのグループに区分するものであってもよい。例えば、受信可能最大サイズのみを受信能力判断の対象とし、例えば、相手先がＡ３サイズの受信能力があるか否かによって２つのグループに区分するようにしてもよい。
【００３０】
【発明の効果】
以上詳述したように本発明によれば、能力のある相手に対してはその能力を満足する同報通信ができるインターネット・ファクシミリ装置を提供できる。
【図面の簡単な説明】
【図１】本発明の、一実施の形態を示すネットワーク構成を示す図。
【図２】同実施の形態に係るインターネット・ファクシミリ装置の構成を示すブロック図。
【図３】同実施の形態に係るインターネット・ファクシミリ装置の管理メモリの構成を示す図。
【図４】同実施の形態に係るインターネット・ファクシミリ装置のシステム制御部による同報通信時の制御を示す流れ図。
【符号の説明】
２…インターネット・ファクシミリ装置、２１…システム制御部、２３…管理メモリ、２６…画像蓄積メモリ、３０…インターネット通信部。
【図１】
2005026978.tif 000003
【図２】
2005026978.tif 000004
【図３】
2005026978.tif 000005
【図４】
2005026978.tif 000006